(57)【要約】【課題】温度の高い過酷な環境下においても、長期間にわたって、容器内の水温の上昇を抑制できるとともに、酸素の供給を確実に行なうことができ、それにより、生き餌を長期間にわたって容器内で生かし続けておくことができる釣り用容器システムを提供する。【解決手段】本発明の一実施形態に係る釣り用容器システム１は、水を溜めるための容器２と、圧縮空気を生成するためのエアポンプ４と、エアポンプ４からの圧縮空気を取り込んで冷気と暖気とに分離して排気するための冷気生成手段６と、冷気生成手段６からの冷気を容器２内の水中に供給するための冷気供給手段８とを備える。【選択図】図１
2011027381.tif 000002
【特許請求の範囲】
【請求項１】
水を溜めるための容器と、
圧縮空気を生成するためのエアポンプと、
前記エアポンプからの圧縮空気を取り込んで冷気と暖気とに分離して排気するための冷気生成手段と、
前記冷気生成手段からの冷気を前記容器内の水中に供給するための冷気供給手段と、
を具備することを特徴とする釣り用容器システム。
【請求項２】
前記冷気生成手段がボルテックスチューブを備えることを特徴とする請求項１に記載の釣り用容器システム。
【請求項３】
前記エアポンプと前記冷気生成手段と前記冷気供給手段とが１つのユニットとして前記容器に着脱自在に取り付けられることを特徴とする請求項１または請求項２に記載の釣り用容器システム。
【請求項４】
前記エアポンプと前記冷気生成手段との間に介挿され、前記エアポンプが前記冷気生成手段からの暖気に晒されないようにするための隔壁を更に備えることを特徴とする請求項１ないし請求項３のいずれか１項に記載の釣り用容器システム。
【請求項５】
前記容器内の水の温度を検出するためのセンサと、
前記センサからの検出信号に基づいて前記容器内の水の温度を制御するための制御手段と、
を更に備え、
前記制御手段は、前記容器内の水の温度が設定温度を下回ったときに前記エアポンプからの圧縮空気を冷気生成手段を介すことなく前記容器の水中に直接に送り込むことを特徴とする請求項１ないし請求項４のいずれか１項に記載の釣り用容器システム。
【発明の詳細な説明】
【技術分野】
【０００１】
本発明は、活き餌を状態良く生かして収納しておくための改良された釣り用容器システムに関する。
【背景技術】
【０００２】
釣りでは、一般に、生き餌を使用する場合、バケツやクーラー等の容器内に水を溜め、その水の中に生き餌を泳がせておき、必要に応じて水を取り替える、あるいは、その水中に空気を常時送り込んで、生き餌を状態良く生かしておくことが試みられる。
【０００３】
しかしながら、温度の高い環境下などにおいては、生き餌を収容した容器内の水の温度が次第に上昇し、生き餌にとって好ましくない状況になる場合がある。特に、水に対する酸素の溶解度は水温が上昇するにつれて低下するため、水温の上昇は生き餌の良好な状態維持において深刻な問題である。
【０００４】
そのため、活き餌を状態良く生かして収納しておくための様々な工夫が従来からなされており、また、それを具現化した様々な容器が提案されている。例えば、特許文献１では、断熱材で形成されたクーラー本体と、クーラー本体内に着脱自在に嵌め込まれる中容器とを有し、中容器の底材とクーラー本体との間に保冷材が収納されて成る釣り用クーラーが提案されている。
【先行技術文献】
【特許文献】
【０００５】
【特許文献１】特開２００４−３３１８０号公報
【発明の概要】
【発明が解決しようとする課題】
【０００６】
しかしながら、保冷材による保冷効果には一定の限界があり、長時間の保冷は難しい。無論、保冷材の大きさによって保冷効果／保冷時間を調整できるが、周囲の環境に大きく影響され、特に炎天下での釣り場で使用する場合には、長期間の保冷を期待することが難しい。
【０００７】
本発明は、前記事情に着目してなされたものであり、その目的とするところは、温度の高い過酷な環境下においても、長期間にわたって、容器内の水温の上昇を抑制できるとともに、酸素の供給を確実に行なうことができ、それにより、生き餌を長期間にわたって容器内で生かし続けておくことができる釣り用容器システムを提供することにある。
【課題を解決するための手段】
【０００８】
前記課題を解決するために、請求項１に記載の釣り用容器システムは、水を溜めるための容器と、圧縮空気を生成するためのエアポンプと、前記エアポンプからの圧縮空気を取り込んで冷気と暖気とに分離して排気するための冷気生成手段と、前記冷気生成手段からの冷気を前記容器内の水中に供給するための冷気供給手段とを具備することを特徴とする。
【０００９】
この請求項１に記載の発明によれば、容器内の水中に直接に冷気を送り込むことができるため、容器内の水を最適な温度に冷やすことができ、また、水に対する酸素の溶解度を適切な度合いまで上げることができる。すなわち、温度の高い過酷な環境下においても、長期間にわたって、容器内の水温の上昇を抑制できるとともに、酸素の供給を確実に行なうことができ（容器内の水中への酸素の十分な溶解を確保し）、それにより、生き餌を長期間にわたって容器内で生かし続けておくことができる。
【００１０】
また、請求項２に記載の釣り用容器システムは、請求項１に記載の釣り用容器システムにおいて、前記冷気生成手段がボルテックスチューブを備えることを特徴とする。
【００１１】
この請求項２に記載の釣り用容器システムによれば、請求項１に記載の釣り用容器システムと同様の作用効果が得られるとともに、圧縮空気から冷気を効率的に且つ十分に生成できるため、容器内の水の冷却効率、冷却効果を高めることができる。
【００１２】
また、請求項３に記載の釣り用容器システムは、請求項１または請求項２に記載の釣り用容器システムにおいて、前記エアポンプと前記冷気生成手段と前記冷気供給手段とが１つのユニットとして前記容器に着脱自在に取り付けられることを特徴とする。
【００１３】
この請求項３に記載の釣り用容器システムによれば、請求項１または請求項２に記載の釣り用容器システムと同様の作用効果が得られるとともに、容器とユニットとを個別に管理することができるとともに、携帯性および収納性にも優れ、システムの使い勝手が良くなる。
【００１４】
また、請求項４に記載の釣り用容器システムは、請求項１ないし請求項３のいずれか１項に記載の釣り用容器システムにおいて、前記エアポンプと前記冷気生成手段との間に介挿され、前記エアポンプが前記冷気生成手段からの暖気に晒されないようにするための隔壁を更に備えることを特徴とする。
【００１５】
この請求項４に記載の釣り用容器システムによれば、請求項１ないし請求項３のいずれか１項に記載の釣り用容器システムと同様の作用効果が得られるとともに、隔壁によってエアポンプを暖気から保護することができ、エアポンプの効率的且つ効果的な圧縮空気の生成に寄与できる（暖気を圧縮して冷気生成手段へ送り込むのは効率が悪い）とともに、エアポンプの温度上昇に伴う駆動不良・故障を防止することができる。
【００１６】
また、請求項５に記載の釣り用容器システムは、請求項１ないし請求項４のいずれか１項に記載の釣り用容器システムにおいて、前記容器内の水の温度を検出するためのセンサと、前記センサからの検出信号に基づいて前記容器内の水の温度を制御するための制御手段とを更に備え、前記制御手段は、前記容器内の水の温度が設定温度を下回ったときに前記エアポンプからの圧縮空気を冷気生成手段を介すことなく前記容器の水中に直接に送り込むことを特徴とする。
【００１７】
この請求項５に記載の釣り用容器システムによれば、請求項１ないし請求項４のいずれか１項に記載の釣り用容器システムと同様の作用効果が得られるとともに、前記制御手段より、冷気が容器の水中へ過剰に供給されるのを防止でき、容器内の水の冷え過ぎおよび酸素不足の両方を防止できるとともに、常に最適な水中環境を確保できる。
【発明の効果】
【００１８】
本発明によれば、温度の高い過酷な環境下においても、長期間にわたって、容器内の水温の上昇を抑制できるとともに、酸素の供給を確実に行なうことができ、それにより、生き餌を長期間にわたって容器内で生かし続けておくことができる釣り用容器システムを提供することができる。
【図面の簡単な説明】
【００１９】
【図１】本発明の第１の実施形態に係る釣り用容器システムの概略図である。
【図２】本発明の更に具現化された第２の実施形態に係る釣り用容器システムの部分斜視図である。
【図３】本発明の第３の実施形態に係る釣り用容器システムの部分斜視図である。
【図４】本発明の第４の実施形態に係る釣り用容器システムの部分斜視図である。
【図５】本発明の第５の実施形態に係る釣り用容器システムの概略図である。
【図６】本発明の第６の実施形態に係る釣り用容器システムの概略図である。
【発明を実施するための形態】
【００２０】
以下、本発明に係る釣り用容器システムの実施形態について、添付図面を参照して具体的に説明する。
【００２１】
図１は本発明の第１の実施形態を示している。図示のように、本実施形態に係る釣り用容器システム１は、水（海水や淡水を含む）１０を溜めるための容器２と、圧縮空気を生成するためのエアポンプ４と、エアポンプ４からの圧縮空気を取り込んで冷気と暖気とに分離して排気するための冷気生成手段６と、冷気生成手段６からの冷気を容器２内の水中に供給するための冷気供給手段８とを備えている。
【００２２】
冷気生成手段６は、本実施形態では、ボルテックスチューブから構成される。ボルテックスチューブ６’は、一方向へ延びる熱風管と、反対方向へ延びる冷風噴出管とを有しており、その中間に位置するゼネレータの吸気口１９から熱風管内へ高速で旋回する気流（圧縮空気）を送入すると、その内部に生ずる気圧勾配により温度差が生まれ、熱風管の先端熱風噴出口１７から暖気（熱風）を噴出すると同時に、熱風管内を逆流した冷気（冷風）が冷風噴出口１６から噴出する。
【００２３】
本実施形態において、エアポンプ４からの圧縮空気は、圧縮空気供給チューブ１４によってボルテックスチューブ６’の吸気口１９へ供給される。また、ボルテックスチューブ６’の冷風噴出口１６から噴出する冷気は、冷気供給手段８を構成する冷気供給チューブ８ａを介して容器２の水中に沈められた冷気噴出部８ｂ（冷気供給チューブ８ａの先端に取り付けられる）の多数の噴出孔から気泡１３となって水中に拡散し、容器２内の水を冷却するとともに、該水中に酸素（圧縮空気、したがって、冷気に含まれる酸素）を供給する。
【００２４】
このように、本実施形態の釣り用容器システム１は、容器２内の水中に直接に冷気を送り込むことができるため、容器２内の水を最適な温度に冷やすことができ、また、水１０に対する酸素の溶解度を適切な度合いまで上げることができる。すなわち、温度の高い過酷な環境下においても、長期間にわたって、容器２内の水温の上昇を抑制できるとともに、酸素の供給を確実に行なうことができ（容器２内の水中への酸素の十分な溶解を確保し）、それにより、生き餌１２を長期間にわたって容器２内で生かし続けておくことができる。
【００２５】
図２は本発明の第２の実施形態を示している。図示のように、本実施形態に係る釣り用容器システム１Ａは、エアポンプ４とボルテックスチューブ６’との間に介挿され且つエアポンプ４がボルテックスチューブ６’からの暖気に晒されないようにするための隔壁２０を備えている。隔壁は２０は、本実施形態では断熱材から成るが、エアポンプ４がボルテックスチューブ６’からの暖気に晒されないようにすることができればどのような材料から成っていても良い。なお、それ以外の構成は第１の実施形態と同一であり、したがって、同一の参照符号を付してその説明を省略する。
【００２６】
このように、本実施形態によれば、隔壁２０によってエアポンプ４を暖気から保護することができるため、エアポンプ４の効率的且つ効果的な圧縮空気の生成に寄与できる（暖気を圧縮してボルテックスチューブ６’へ送り込むのは効率が悪い）とともに、エアポンプ４の温度上昇に伴う駆動不良・故障を防止することができる。
【００２７】
図３は本発明の第３の実施形態を示している。図示のように、本実施形態に係る釣り用容器システム１Ｂは、エアポンプ４とボルテックスチューブ６’とを容器２に対して取り付けるための取り付け手段としての取り付け支持体３０を備えている。この取り付け支持体３０は、容器２に対して固着されており、エアポンプ４を収納するための第１の収納部３２とボルテックスチューブ６’を収納するための第２の収納部３４とを有している。また、第１の収納部３２と第２の収納部３４とが隔壁２０によって区画されている。なお、取り付け支持体３０は、冷気供給手段８を構成する冷気供給チューブ８ａおよび冷気噴出部８ｂをその不使用時に収納するための収納部を別個に有していても良い。また、ボルテックスチューブ６’の先端熱風噴出口１７に対向する取り付け支持体３０の底面の一部を開口し、この開口部８０から暖気を逃がすようにしても良い。それ以外の構成は第１および第２の実施形態と同一であり、したがって、同一の参照符号を付してその説明を省略する。
【００２８】
このように、本実施形態によれば、容器２と冷気生成供給機構４，６，８とが一体となった一体型容器冷却システムを実現でき、機能性、携帯性に優れる。
【００２９】
図４は本発明の第４の実施形態を示している。図示のように、本実施形態に係る釣り用容器システム１Ｃは、エアポンプ４（したがって、エアポンプ４に取り付けられた圧縮空気供給チューブ１４も）とボルテックスチューブ６’（したがって、ボルテックスチューブ６’に取り付けられた冷気供給手段８も）と隔壁２０とがベルト４２によって一体化されて１つのユニット４０として容器２に着脱自在に取り付けられるようになっている。この場合、ユニット４０は、該ユニット４０から延びる（この実施形態では、隔壁２０から延びる）一対のフック４５，４５（フック４５の数は任意である）を容器２の側壁の開口上端周縁部に引っ掛けることにより容器２に装着される。また、隔壁２０からは、エアポンプ４を下側から支持するための支持部２０ａが延在している。
【００３０】
なお、ベルト４２を用いることなく、エアポンプ４およびボルテックスチューブ６’を隔壁２０に一体に固定することによりユニット４０が構成されても良く、あるいは、エアポンプ４とボルテックスチューブ６’と隔壁２０とを図示しない支持体によって一体にまとめてユニット４０を構成しても良い。それ以外の構成は第１および第２の実施形態と同一であり、したがって、同一の参照符号を付してその説明を省略する。
【００３１】
このように、本実施形態によれば、容器２とユニット４０とを個別に管理することができるとともに、携帯性および収納性にも優れ、システムの使い勝手が良くなる。
【００３２】
図５は本発明の第５の実施形態を示している。図示のように、本実施形態に係る釣り用容器システム１Ｄは、ボルテックスチューブ６’の先端熱風噴出口１７から噴出する暖気をエアポンプ４から遠ざけるように案内するためのガイド手段２９を備えている。このガイド手段２９は、本実施形態では、隔壁２０から下側に向けてエアポンプ４から離れるように傾斜する隔壁２０の一部として形成されている。この場合、暖気がエアポンプ４側へ流れ込まないようにするため、ガイド手段２９は、ボルテックスチューブ６’の下端（先端熱風噴出口１７側端部）よりも下側へと所定の距離Ａだけ延在するとともに、エアポンプ４の下端よりも下側へと所定の距離Ｂだけ延在する。なお、それ以外の構成は第１および第２の実施形態と同一であり、したがって、同一の参照符号を付してその説明を省略する。
【００３３】
このように、本実施形態によれば、ガイド手段２９によって暖気をエアポンプ４から遠ざけることによりエアポンプ４を暖気から保護することができ、エアポンプ４の効率的且つ効果的な圧縮空気の生成に寄与できるとともに、エアポンプ４の温度上昇に伴う駆動不良・故障を防止することができる。
【００３４】
図６は本発明の第６の実施形態を示している。図示のように、本実施形態に係る釣り用容器システム１Ｅは、第１の実施形態の構成に加えて、更に、容器２内の水の温度を検出するためのセンサ６０と、センサ６０からの検出信号に基づいて容器２内の水１０の温度を制御するための制御手段とを備えている。この場合、制御手段は、エアポンプ４からの圧縮空気の流れをボルテックスチューブ６’へ向かう第１の経路と更なる別個のチューブ８ｃへ向かう第２の経路とに選択的に切り換えるための方向切換弁６４と、センサ６０からの検出信号に基づいて方向切換弁６４の弁切り換えを行なう制御部６２とを有する。なお、別個のチューブ８ｃは、容器２の水中に沈められた冷気噴出部８ｂに接続されている。
【００３５】
制御部６２は、センサ６０からの検出信号によって容器２内の水の温度が設定温度を下回ったことを検出すると、エアポンプ４からの圧縮空気をボルテックスチューブ６’を介すことなく容器２の水中に直接に送り込むようにする。すなわち、制御部６２は、この状況において、エアポンプ４からの圧縮空気の流れが別個のチューブ８ｃへ向かう第２の経路をとるように方向切換弁６４を切り換え制御する。これにより、容器２の水中には、冷気ではなく、常温の空気が流れ込むようになり、冷え過ぎた容器２内の水１０が設定温度まで上昇する。なお、本実施形態では、容器２の水１０の温度制御を精度良く行なえるように、容器２が断熱材によって形成されるとともに、容器２の上部開口部が断熱材の蓋２ａ（取り外し自在）によって閉じられる。
【００３６】
このように、本実施形態によれば、前記制御手段より、冷気が容器２の水中へ過剰に供給されるのを防止でき、容器２内の水の冷え過ぎを防ぐことができる。また、容器２内の水１０が冷え過ぎた場合に、水中への空気の流入（したがって、酸素の供給）を完全に遮断するのではなく、冷気の代わりにほぼ常温の空気を供給するため、容器２内の水の冷え過ぎ及び酸素不足の両方を防止でき、常に最適な水中環境を確保できる。
【００３７】
なお、本発明は、前述した実施形態に限定されず、その要旨を逸脱しない範囲で種々変形して実施できることは言うまでもない。例えば、前述した各実施形態では、冷気生成手段としてボルテックスチューブが挙げられているが、冷気生成手段は圧縮空気から冷気を生成できるものであれば、どのようなものであっても良い。
【符号の説明】
【００３８】
１，１Ａ，１Ｂ，１Ｃ，１Ｄ，１Ｅ  釣り用容器システム
２  容器
４  エアポンプ
６  冷気生成手段
６’  ボルテックスチューブ
８  冷気供給手段
２０  隔壁
２９  ガイド手段
３０  支持体（取り付け手段）
４０  ユニット
６０  センサ
６２  制御部（制御手段）
６４  方向切換弁（制御手段）
【図１】
2011027381.tif 000003
【図２】
2011027381.tif 000004
【図３】
2011027381.tif 000005
【図４】
2011027381.tif 000006
【図５】
2011027381.tif 000007
【図６】
2011027381.tif 000008